(57)【要約】【課題】用紙束をくるむように接着される表紙の糊付け面に画像が存在する場合に、糊付け等の製本動作を実行すると、用紙束と表紙の糊付け強度が低下してしまうという問題があった。【解決手段】接着手段における糊付け部に、表紙の画像形成部部分が存在するか否かを判断し、糊付け部に画像形成部分が存在すると判断した場合には警告を行うことを特徴とする画像形成システム。【選択図】図２
2007118351.tif 000002
【特許請求の範囲】
【請求項１】
画像形成装置及び、
画像形成装置から排出された記録紙を積載する積載手段と、
糊を加熱し、前記積載手段により積載された用紙束の背面に溶けた前記糊を塗布する糊付け手段と、
前記糊付け手段により塗布された糊付け面に表紙を接着して、製本冊子を生成する接着手段と、
前記接着手段により生成された製本の束端面を断裁する断裁手段とからなる製本手段を備えた製本装置から構成される画像形成システムにおいて、
前記製本手段において生成される製本の厚さを推測する束厚推測手段と、
製本される表紙の糊付け部分の画像白抜き幅を算出する白抜き幅算出手段と、
前記束厚推測手段及び前記白抜き幅算出手段により決定された値を記憶する比較値記憶手段と、
前記束厚推測手段と前記白抜き幅算出手段により得られた値を比較して、前記接着手段における糊付け部に、前記表紙の画像形成部分が存在するか否かを判断する判断手段と、
前記判断手段により、前記糊付け部に前記画像形成部分が存在すると判断した場合には、警告を行う警告手段とを備えることを特徴とする画像形成システム。
【請求項２】
前記束厚推測手段は、用紙の紙種と中紙用紙の枚数をもとにして製本の厚さを推測することを特徴とする請求項１記載の画像形成システム。
【請求項３】
前記白抜き幅算出手段は、前記表紙の糊付け部の画像白抜き幅を前記表紙の濃度制御信号によって算出することを特徴とする請求項１記載の画像形成システム。
【請求項４】
前記警告手段により、前記製本手段による製本動作を行うか否かの判断を使用者に選択させる製本動作選択手段とを備えることを特徴とする画像形成システム。
【発明の詳細な説明】
【技術分野】
【０００１】
本発明は、糊付け製本装置及びこれを備えた画像形成システムに関し、特に正確な糊付けを行うことができるか否かの判断手段及び警告手段に関する。
【背景技術】
【０００２】
従来、複写機などの画像形成装置においては、複数枚の用紙からなる用紙束の片辺に糊付する糊付装置、糊付け面以外を断裁する断裁処理等の処理を選択的に施すための用紙処理装置が取り付けられるように構成されており、これらを接続することによって画像形成装置を構成している（例えば、特許文献１参照）。
【特許文献１】特開２００５−１０４０６３号公報
【発明の開示】
【発明が解決しようとする課題】
【０００３】
しかしながら、上記従来技術においては用紙束と用紙束をくるむように接着される表紙との糊付け面に画像が存在する場合であっても、糊付け等の製本動作を実行していた。そのため、もし、糊付け面に表紙の画像が存在している場合には、用紙束と表紙の糊付け強度が低下してしまうという問題があった。また、糊付け面に存在していた画像が隠れてしまうといったユーザが意図しない状態で製本が完成されてしまい、ユーザービリティーの観点からも問題があった。
【０００４】
本発明は、以上のことから、製本動作を行う前に糊付け面の画像形成部の有無を判断することで、製本される成果物の品質を保障することができ、ユーザにとって使い勝手のよい製本装置を実現できる画像形成システムの提供を目的とする。
【課題を解決するための手段】
【０００５】
本発明は、上述の目的を達成するため、画像形成装置及び、画像形成装置から排出された記録紙を積載する積載手段と、糊を加熱し、前記積載手段により積載された用紙束の背面に溶けた前記糊を塗布する糊付け手段と、前記糊付け手段により塗布された糊付け面に表紙を接着して、製本冊子を生成する接着手段と、前記接着手段により生成された製本の束端面を断裁する断裁手段とからなる製本手段を備えた製本装置から構成される画像形成システムにおいて、前記製本手段において生成される製本の厚さを推測する束厚推測手段と、製本される表紙の糊付け部分の画像白抜き幅を算出する白抜き幅算出手段と、前記束厚推測手段及び前記白抜き幅算出手段により決定された値を記憶する比較値記憶手段と、前記束厚推測手段と前記白抜き幅算出手段により得られた値を比較して、前記接着手段における糊付け部に、前記表紙の画像形成部分が存在するか否かを判断する判断手段と、前記判断手段により、前記糊付け部に前記画像形成部分が存在すると判断した場合には、警告を行う警告手段とを備えることを特徴とする画像形成システムを含むことを特徴とする。
【発明の効果】
【０００６】
本発明に係る発明によれば、製本動作を行う前に糊付け面の画像形成部の有無を判断することで、製本される成果物の品質を保障することができる。そして、糊付け部に表紙の前画像形成部分が存在し、製本成果物の品質を保障できない場合には、警告を表示しユーザにその旨を通知することができるので、ユーザにとって使い勝手のよい製本装置を実現することができる。
【発明を実施するための最良の形態】
【０００７】
（全体構成）
図１は本発明の実施形態に係る画像形成装置の主要部の縦断面構造を示す構成図である。画像形成装置は、図１に示すように、画像形成装置本体１０と、糊付け製本装置５００、フィニッシャ装置４００を例にする後処理装置とから構成されている。画像形成装置本体１０は、原稿から画像を読み取るイメージリーダ２００及び読み取った画像を用紙上に形成するプリンタ３５０を備えている。
【０００８】
各部の構成を詳述すると、画像形成装置本体１０のイメージリーダ２００には、原稿給送装置１００が搭載されている。原稿給送装置１００は、原稿トレイ上に上向きにセットされた原稿を先頭頁から順に１枚ずつ図１左方向へ給紙し、湾曲したパスを介してプラテンガラス１０２上を左から流し読み取り位置を経て右へ搬送し、その後、外部の排紙トレイ１１２に向けて排出する。この原稿がプラテンガラス１０２上の流し読み取り位置を左から右へ向けて通過するときに、原稿画像が流し読み取り位置に対応する位置に保持されたスキャナユニット１０４により読み取られる。この読み取り方法は、一般的に、原稿流し読みと呼ばれる方法である。具体的には、原稿が流し読み取り位置を通過する際に、原稿の読取面がスキャナユニット１０４のランプ１０３の光で照射され、その原稿からの反射光がミラー１０５、１０６、１０７を介してレンズ１０８に導かれる。このレンズ１０８を通過した光は、イメージセンサ１０９の撮像面に結像する。
【０００９】
このように、流し読み取り位置を左から右へ通過するように原稿を搬送することによって、原稿の搬送方向に対して直交する方向を主走査方向とし、搬送方向を副走査方向とする原稿読み取り走査が行われる。即ち、原稿が流し読み取り位置を通過する際に、主走査方向に原稿画像を１ライン毎にイメージセンサ１０９で読み取りながら、原稿を副走査方向に搬送することによって原稿画像全体の読み取りを行う。光学的に読み取られた画像は、イメージセンサ１０９によって画像データに変換されて出力される。イメージセンサ１０９から出力された画像データは、プリンタ３５０の露光制御部１１０にビデオ信号として入力される。
【００１０】
尚、原稿給送装置１００により原稿をプラテンガラス１０２上に搬送して所定位置に停止させ、この状態でスキャナユニット１０４を左から右へ走査させることにより原稿を読み取ることも可能である。この読み取り方法は、いわゆる原稿固定読みと呼ばれる方法である。
【００１１】
原稿給送装置１００を使用しないで原稿を読み取るときには、まず、ユーザにより原稿給送装置１００を持ち上げてプラテンガラス１０２上に原稿を載置し、そして、スキャナユニット１０４を左から右へ走査させることにより原稿の読み取りを行う。即ち、原稿給送装置１００を使用しないで原稿を読み取るときには、原稿固定読みが行われる。
【００１２】
プリンタ３５０の露光制御部１１０は、イメージリーダ２００から入力されたビデオ信号に基づきレーザ光を変調して出力する。該レーザ光は、ポリゴンミラー１１０ａにより走査されながら感光ドラム１１１上に照射される。感光ドラム１１１には走査されたレーザ光に応じた静電潜像が形成される。ここで、露光制御部１１０は、原稿固定読み時には、正しい画像（鏡像でない画像）が形成されるようにレーザ光を出力する。この感光ドラム１１１上の静電潜像は、現像器１１３から供給される現像剤によって現像剤像として可視像化される。
【００１３】
一方、プリンタ３５０内に装備されている上カセット１１４或いは下カセット１１５からピックアップローラ１２７、１２８により給紙された用紙は、給紙ローラ１２９、１３０によりレジストローラ１２６まで搬送される。用紙の先端がレジストローラ１２６まで達したところで、レジストローラ１２６を任意のタイミングで駆動し、且つ、レーザ光の照射開始と同期したタイミングで、用紙を感光ドラム１１１と転写部１１６との間に搬送する。感光ドラム１１１に形成された現像剤像は、給紙された用紙上に転写部１１６により転写される。現像剤像が転写された用紙は、定着部１１７に搬送され、定着部１１７は、用紙を加熱及び加圧することによって現像剤像を用紙上に定着させる。定着部１１７を通過した用紙は、フラッパ１２１及び排出ローラ１１８を経てプリンタ３５０から画像形成装置本体外部（糊付け製本機５００）に向けて排出される。
【００１４】
ここで、用紙をその画像形成面が下向きになる状態（フェイスダウン）で排出するときには、定着部１１７を通過した用紙をフラッパ１２１の切換動作により一旦反転パス１２２内に導き、その用紙の後端がフラッパ１２１を通過した後に、用紙をスイッチバックさせて排出ローラ１１８によりプリンタ３５０から排出する。この排紙形態を反転排紙と呼ぶ。この反転排紙は、原稿給送装置１００を使用して読み取った画像を形成するときまたはコンピュータから出力された画像を形成するときなどのように、先頭頁から順に画像形成するときに行われ、その排紙後の用紙順序は正しい頁順になる。
【００１５】
また、手差給紙部１２５からＯＨＰ用紙などの硬い用紙が給紙され、この用紙に画像を形成するときには、用紙を反転パス１２２に導くことなく、画像形成面を上向きにした状態（フェイスアップ）で排出ローラ１１８により排出する。さらに、用紙の両面に画像形成を行う両面記録が設定されている場合には、フラッパ１２１の切換動作により用紙を反転パス１２２に導いた後に両面搬送パス１２４へ搬送し、両面搬送パス１２４へ導かれた用紙を上述したタイミングで感光ドラム１１１と転写部１１６との間に再度給紙する制御が行われる。
【００１６】
画像形成装置本体１０のプリンタ３５０から排出された用紙は、糊付け製本機５００に送られる。
【００１７】
（全体システムブロック図）
次に、画像形成システム全体の制御を司るコントローラの構成及び全体システムブロック図について図４７を参照しながら説明する。図４７は図１の画像形成システム全体の制御を司るコントローラの構成を示すブロック図である。
【００１８】
コントローラは、図４７に示すように、ＣＰＵ回路部１５０を有し、ＣＰＵ回路部１５０は、ＣＰＵ（図示せず）、ＲＯＭ１５１、ＲＡＭ１５２を内蔵し、ＲＯＭ１５１に格納されている制御プログラムにより各ブロック１０１，２０１，２０２，２０９，３０４，６０１，５０１を総括的に制御する。ＲＡＭ１５２は、制御データを一時的に保持し、また制御に伴う演算処理の作業領域として用いられる。
【００１９】
原稿給送装置制御部１０１は、原稿給送装置１００をＣＰＵ回路部１５０からの指示に基づき駆動制御する。イメージリーダ制御部２０１は、上述のスキャナユニット１０４、イメージセンサ１０９などに対する駆動制御を行い、イメージセンサ１０９から出力されたアナログ画像信号を画像信号制御部２０２に転送する。また、後述する束厚推測手段１２０の制御はこの画像信号制御部２０２で行われる。
【００２０】
画像信号制御部２０２は、イメージセンサ１０９からのアナログ画像信号をデジタル信号に変換した後に各処理を施し、このデジタル信号をビデオ信号に変換してプリンタ制御部３０４に出力する。また、コンピュータ２１０から外部Ｉ／Ｆ２０９を介して入力されたデジタル画像信号に各種処理を施し、このデジタル画像信号をビデオ信号に変換してプリンタ制御部３０４に出力する。この画像信号制御部２０２による処理動作は、ＣＰＵ回路部１５０により制御される。プリンタ制御部３０４は、入力されたビデオ信号に基づき上述の露光制御部１１０を駆動する。また、後述する白抜き幅算出手段２０４の制御はこの画像信号制御部２０２で行われる。
【００２１】
製本装置制御部５０１は後述する積載手段５８０、糊付け手段５８１、接着手段５８２、断裁手段５８３から構成され、ＣＰＵ回路部１５０からの信号に基づき製本装置の各部の制御を総括的に行う。
【００２２】
操作表示装置制御部６０１は、操作表示装置６００とＣＰＵ回路部１５０との間で情報のやり取りを行う。操作表示装置６００は、画像形成に関する各種機能を設定する複数のキー、設定状態を示す情報を表示するための表示部などを有し、各キーの操作に対応するキー信号をＣＰＵ回路部１５０に出力するとともに、ＣＰＵ回路部１５０からの信号に基づき対応する情報を表示部に表示する。
【００２３】
（糊付け製本装置）
図２は、本発明に係る糊付け製本機５００の内部構成を示した断面図である。
【００２４】
糊付け製本機５００は、製本モードとして画像形成装置から排出された記録紙を積載して用紙束を作成する用紙積載部Ａ、積載された束に対して糊付けを行う糊付け部Ｂ、糊付けされた積載束と表紙を接着する接着部Ｃ、表紙の接着後に、製本端面の整合を行うため、糊付け面以外の３方向を断裁する断裁部Ｄ、完成した製本を排出する製本排出部Ｅから構成される。
【００２５】
次に、一連の製本動作の流れについて説明する。尚、今回は一連の製本動作の概要の説明のみに留め、各部の詳細な説明は後述する。
【００２６】
用紙積載部Ａは製本モードにおいて、画像形成装置から排出された記録紙を積載トレイ５２０に積載して用紙束５４０を作成する部位である。用紙積載部Ａによって出来上がった用紙束５４０は糊付け部Ｂに移動し、糊容器５２５、糊塗布ローラ５２４、及び糊塗布ローラ制御モータ５２２によって、用紙束下側面に糊の塗布を行う。接着部Ｃは糊付けされた用紙束５４０を画像形成装置１０から排出された表紙Ｐに接着し、冊子５７０としてトリムグリッパ５１２に受け渡す工程を担う。そして、冊子５７０はトリムグリッパ５１２により断裁部Ｄに搬送される。断裁部Ｄではカッター制御モータ５２７によりカッター５２８を水平方向へ移動させ、冊子５７０の断裁を行う。断裁された断裁屑は屑受け箱５３３の中に落下し、一連の断裁動作が終了すると屑箱５３２に断裁屑が回収される。断裁部において断裁が終了した冊子５７０は断裁部Ｄから製本排出部Ｅに搬送され、冊子５７０が排出される。
【００２７】
以上の流れが製本モードにおける一連の製本動作であるが、製本モードの他に、製本を行わずに通常の排出モードを選択的に可能とする。
【００２８】
搬送ローラ対５０５の下流側には、切換フラッパ５２１が配置されている。切換フラッパ５２１は搬送ローラ対５０５により送られてきた用紙を用紙積載トレイ５２０、または後処理装置４００に選択的に導くためのフラッパである。
【００２９】
画像形成装置１０から排出された用紙Ｐは通常モード時は搬送ローラ対５０５、５１０、５１１、５１３、５１４、及び排紙ローラ５１５によって後処理装置４００に排出される。後処理装置としては、製本機の下流装置として接続されているシート後処理装置、例えば、フィニッシャ４００等の後処理装置において、束としての加工、つまり、束排出処理、綴じ処理、折り処理、製本処理などの後処理を施すことができる。
【００３０】
また、製本モード時にあっては、画像形成装置１０から排出された用紙Ｐは搬送ローラ対５０６、５０７、５０８、及び積載部排出ローラ５０９によって上述した用紙積載トレイ５２０に排紙され、整合されて用紙束５４０となる。
【００３１】
（紙の流れ）
次に、糊付け製本装置５００の紙の流れについて図２３ないし図２６を参照しながら説明する。
【００３２】
図２３に示すように、糊付け製本装置５００は画像形成装置１０から排出された用紙を搬送ローラ対５０５により内部に取り込み、搬送パス（ａ）へ導かれる。用紙束の中紙である場合、搬送ローラ対５０５により内部に取り込まれた用紙は、切換フラッパ５２１により搬送パス（ｂ）へ導かれ、搬送ローラ対５０６、５０７、５０８、５０９により搬送される。用紙Ｐは、搬送ローラ対５０９から用紙積載トレイ５２０へ排出される。中紙となる用紙全てが用紙積載トレイ５２０へ排出されると、中紙の用紙束５４０は糊付けグリッパ５２３によりグリップされ、図２４の破線で示すように、用紙積載部Ａから糊付け部Ｂの上方へ束の状態で移動される。
【００３３】
糊付け部Ｂの上方へ移動した中紙の束は、図２５に示すように糊付けグリッパ５２３にグリップされた状態で垂直な方向に回転され、用紙束の背表紙となる側面が糊付け部Ｂと対向する位置となる。その後、詳細は後述するが、糊容器５２５および糊塗布ローラ５２４が用紙束に沿って移動することで用紙束端部に糊付けが行われる。この間に、表紙となる表紙Ｐｃが画像形成装置１０から排出され、糊付け製本装置５００へ搬送される。搬送ローラ対５０５により内部に取り込まれた用紙Ｐｃは、切換フラッパ５２１が切り換えられており、搬送パス（ａ）から搬送パス（ｃ）へと導かれ、搬送ローラ対５１０、５１１、５１３、５１４により搬送される。搬送パス（ｃ）には、搬送ローラ対５１３の下流側に図示しないセンサが設けられており、図２６に示すように、用紙束の表紙となる表紙Ｐｃの先端部をセンサが検知してから所定距離搬送した後、表紙Ｐｃの搬送を停止する。
【００３４】
表紙Ｐｃが搬送パス（ｃ）内で停止した時点で、表紙Ｐｃの後端は切換フラッパ５２１を抜ける構成となっており、連続して用紙束を作成する場合は、表紙Ｐｃが搬送パス（ｃ）にある間でも、切換フラッパ５２１を切り換えて、次の用紙束に対する中紙を画像形成装置１０から受け取り、搬送パス（ａ）から搬送パス（ｂ）を経由して用紙積載トレイ５２０へと搬送を行う。
【００３５】
その後、糊を塗布された用紙束に表紙をくるみ下流へと搬送する部分に関する詳細は後述する。
【００３６】
画像形成装置１０から表紙を搬送する場合に関して上述したが、糊付け製本装置５００の上部にはインサータ３００が設けられており、表紙のみインサータ３００から挿入することが可能となっている。
【００３７】
次にインサータ３００から表紙を挿入して製本を行う場合の紙の流れについて図２７ないし図２８を参照しながら説明する。
【００３８】
中紙の流れは、図２３ないし図２６を用いて上述したように画像形成装置１０が順次用紙を受け取り、用紙積載トレイ５２０で用紙束を作成し、糊付けグリッパ５２３により束ごと糊付け部Ｂへ移動する。インサータ３００から表紙Ｐｃを挿入する場合、図２７に示すように、中紙の束を糊付け部Ｂへ移動している間に、給紙ローラ３０１により給紙トレイ３１０上の最上紙から１枚給紙を行い。給紙された表紙Ｐｃは、搬送ローラ対３０３、５０３、５０４で搬送され、切換フラッパ５２１により、搬送パス（ｄ）から搬送パス（ｃ）へと導かれる。
【００３９】
次に糊付け製本装置５００の各部において、各動作の詳細を説明する。
【００４０】
（糊付け部における糊付け手段）
図３は糊付け部Ｂの構成図を、図４に糊付け部Ｂにおける糊付け動作の概要を示す。糊付け部Ｂは、用紙束をグリップする糊付けグリッパ５２３、糊を貯蔵する糊容器５２５及び、用紙束に糊を塗布する糊塗布ローラ５２４と糊塗布ローラ制御モータ５２２から構成される。
【００４１】
糊容器５２５に浸漬されている糊塗布ローラ５２４は糊塗布ローラ制御モータ５２２の回転により、常に回転をしている状態にある。糊容器５２５、糊塗布ローラ５２４、糊塗布ローラ制御モータ５２２から構成される糊付けユニット５８０は、糊付けグリッパ５２３によって直立状態にグリップされた用紙束５４０の下側面長手方向に用紙束と並行する方向に図示しない駆動手段によって移動を行う。糊の塗布は糊付けユニットの往復動によって行う。図４に示すように、糊付けユニット５８０は糊付け製本装置５００の背面側の初期位置から移動を開始し、糊付け製本装置５００の前面の所定の位置で停止する。この時、糊付けユニット５８０による用紙束下側面への糊付けは行わない。用紙束への糊付けは、糊付け製本装置５００の前面から背面へ移動する際に行われる。所定の位置で停止している糊付けユニット５８０は、用紙束の下側面に糊塗布ローラ５２４が当接する位置まで上昇する。そして糊付けユニット５８０が糊付け製本装置５００の前面から背面へ移動しながら、糊塗布ローラ５２４によって用紙束５４０の下側面に糊を塗布する。
【００４２】
（接着部における接着手段）
図５は接着部Ｃの断面図を表している。接着部Ｃは画像形成装置１０から供給された表紙５５０を受容して搬送し、所定の位置に停止させる搬送ガイド５６０、５６１、表紙５５０を用紙束５４０の糊塗布面に圧接させる加圧部材５６３、表紙を用紙束にくるむ際に用いる折り部材５６２、５６４から構成される。
【００４３】
そして、接着部Ｃの動作の流れについて図５ないし図１２を参照しながら説明する。
【００４４】
用紙束５４０への糊付け動作終了後、図示しない駆動手段によって用紙束５４０をグリップした糊付けグリッパ５２３が糊付け部Ｂから下降してくる。そして、搬送ガイド５６０、５６１によって水平方向に用意された表紙５５０に糊塗布面を接着させる（図５参照）。
【００４５】
接着後、糊付けグリッパ５２３が下降し、加圧部材５６３上に載置された表紙５５０の接着部は用紙束５４０の糊塗布面に圧接して接着される。尚、用紙束５４０の下降による糊塗布面の圧接を行う前に搬送ガイド５６０上部、搬送ガイド５６１上部を退避させて用紙束５４０との干渉を防止する（図６参照）。
【００４６】
表紙５５０を用紙束５４０に接着したのち、折り部材５６２、５６４、搬送ガイド５６０下部、搬送ガイド５６１下部が図示しない駆動手段によって加圧部材５６３の上斜め方向に上昇し、破線位置から実線位置まで移動する。この折り部材５６２、５６４の上斜め方向への上昇によって、表紙５５０は上方に押し上げられ、表紙５５０が糊塗布面の側縁部から湾曲され、用紙束５４０をくるむくるみ処理を行う（図７参照）。
【００４７】
表紙５５０のくるみ処理終了後、折り部材５６２、５６４、搬送ガイド５６０下部、搬送ガイド５６１下部が図示しない駆動手段によって破線位置から実線位置まで退避する。同時に加圧部材５６３も、図示しない駆動手段により水平方向に移動する。加圧部材５６３の水平移動によって、冊子５７０が糊付けグリッパ５２３の下降手段により下降することができる空間を確保する（図８参照）。
【００４８】
糊付けグリッパ５２３の下降手段により搬送ガイド５６０、搬送ガイド５６１の下方まで下降した冊子５７０は、冊子５７０の下端がトリムユニット受け渡しローラ５６５、５６６に当接する位置まで下降を行う（図９参照）。
【００４９】
その後、冊子５７０をグリップしていた糊付けグリッパ５２３が冊子５７０のグリップを解除し、同時にトリムユニット受け渡しローラ５６５、５６６によって冊子５７０は下方向に搬送される（図１０参照）。
【００５０】
トリムユニット受け渡しローラ５６５、５６６によって下方への搬送が行われ、所定の位置まで搬送を行った後、冊子５７０の搬送を停止する。その後、トリムグリッパ５１２が図示しない駆動手段によって冊子５７０をグリップする（図１１参照）。
【００５１】
図示しないトリムグリッパ５１２下降手段によって冊子５７０が下方に下降し、断裁部Ｄの位置まで冊子５７０を下降させる。この時、水平方向に移動していた加圧部材５６３は表紙の接着部の圧接を行える位置まで移動する（図１２参照）。
【００５２】
（断裁部における断裁手段）
次に、断裁部Ｄの動作の流れについて図１３ないし図１８を参照しながら説明する。
【００５３】
図１３に示すように、上述した接着部で中紙の用紙束と表紙が接着された冊子５７０は、トリムグリッパ５１２により断裁部に移動された後、トリムグリッパ５１２、カッター５２８、断裁屑受け箱５３３が連動して各端部の断裁を行う。
【００５４】
断裁動作は、カッター５２８による断裁を行う前に冊子５７０の下方に断裁屑受け箱５３３が移動した後（図１４参照）、カッター５２８が冊子５７０に対して出没し、一辺に対する断裁を行う。この時、断裁屑は冊子５７０の下方で待ち受けている断裁屑受け箱５３３に収納される（図１５参照）。その後、カッター５３２は逆方向に駆動され退避位置へと移動し、断裁屑受け箱５３３も退避位置へと移動する（図１６参照）。
【００５５】
冊子５７０に対して上述した断裁動作は、小口、および天地の３辺に行うが、接着動作を行った冊子５７０は背表紙端部を下側にして移動される為、回転可能なトリムグリッパ５１２を９０度回転させて冊子５７０の向きを９０度回転させた後、地辺の断裁を行う。次に、トリムグリッパ５１２を同一方向に９０度回転させて断裁動作を行い、小口の断裁を行う。さらに、トリムグリッパ５１２を９０度回転させて断裁動作を行い、天辺の断裁を行うことで背表紙部端部以外の断裁が終了する。
【００５６】
但し、断裁後の冊子５７０の背表紙部を下方にして後述する製本排出部へ搬送させるために、断裁動作は行わず、トリムグリッパ５１２により冊子５７０をさらに９０度回転させる（図１７参照）。
【００５７】
断裁屑受け箱５３３は、断裁動作を行っていない時の退避位置と断裁動作中の屑受け位置との間を移動する。断裁屑受け箱５３３の退避位置は、断裁屑箱５３２の上方に位置している。また、図１８に示すように、断裁屑受け箱５３３の底板部は開放可能な構成になっており、退避位置に移動すると断裁屑受け箱５３３の底板部が開放され、断裁屑受け箱５３３内の断裁屑が断裁屑箱５３２に収納される。
【００５８】
（製本排出部）
図１９は製本排出部Ｅの断面図を表しており、断裁部Ｄから製本排出部Ｅへの冊子５７０の搬送を行うトリムグリッパ５１２、製本排出部Ｅへの冊子５７０の搬送を行う製本排出部入り口ローラ５１５、搬送された冊子を一時積載する積載板５２９、製本を縦方向に支持する製本支持板５３０、積載安定板（製本排出安定板）５３４、そして、製本支持板５３０を水平方向に移動させる排出搬送ベルト５３１から構成される。
【００５９】
そして、製本排出部Ｅの動作の流れを図１９ないし図２２を参照しながら説明する。
【００６０】
断裁作業終了後の冊子５７０は図示しないトリムグリッパ５１２下降手段によって断裁部直下にある製本排出部入り口ローラ５１５へ搬送される。そして、製本排出部入り口ローラ５１５によって冊子５７０の搬送を行い、製本グリッパ５１２は冊子５７０の支持を解除し表紙接着部Ｃの所定の位置へ移動する。この時、製本排出部Ｅでは製本積載板５２９が右方向に倒れており、冊子５７０は製本排出部入り口ローラ５１５によって製本積載板５２９に積載される（図１９参照）。
【００６１】
その後、倒れていた製本積載板５２９は垂直方向に起立し、冊子５７０は製本支持板５３０により冊子５７０が縦になった状態で支持される。ここで、排出搬送ベルト５３１の下方にある製本排出安定板５３４が図示しない上昇手段により上方に移動し、製本支持板５３０と製本排出安定板５３４で冊子５７０を支持する（図２０参照）。その後、製本支持板５３０は、排出搬送ベルト５３１によって左方向に移動し、次の冊子５７１が搬送されてきた場合の排出スペースを確保する（図２１参照）。図２１で冊子５７１の排出スペースを確保し、上述の動作を行うことによって、冊子５７０の隣に冊子５７１を縦積みすることが可能になる（図２２参照）。
【００６２】
（操作表示部）
図２９は図１の画像形成装置における操作表示部６００を示す図である。
【００６３】
操作表示装置６００には、画像形成動作を開始するためのスタートキー６０２、画像形成動作を中断するためのストップキー６０３、置数設定等を行うテンキー６０４〜６１２および６１４、ＩＤキー６１３、クリアキー６１５、リセットキー６１６などが配置されている。また、上部にタッチパネルが形成された液晶表示部６２０が配置されており、画面上にソフトキーを作成可能となっている。
【００６４】
例えば、本実施系における本画像形成装置では、後処理装置４００や糊付け製本装置５００の後処理モードとして、ノンソートやソート、製本モードなどの各処理モードを有する。このような処理モードを設定する場合は操作表示装置６００からの入力操作により行われる。
【００６５】
（製本モードの設定）
以下、図４１のフローチャートと図３０〜４０を用いて製本モード設定の流れを説明する。
【００６６】
製本モードは表示部６２０から設定する（図３０）。図３０に示す初期画面で、ソフトキーである「応用モード」キーを選択すると、図３１に示されるような応用モードの選択画面へ遷移する。この応用モードのメニューの中から、「製本」のソフトキーを選択すると、製本モードの設定が開始される（Ｓ１０００）。
【００６７】
まず、成果物のとじ方向を「右開き」、「左開き」のいずれかを選択する（Ｓ１００１、図３２）。「右開き」は本を開いたとき右側のページから左側のページへ増えていき、「左開き」は左側のページから右側のページへ増えていくとじ方である。
【００６８】
とじ方向を選択したあと、「次へ」のソフトキーを押下すると図３３に示す表示画面に遷移し、くるみ表紙を給紙する給紙段を選択する（Ｓ１００２、Ｓ１００３）。ここでは、くるみ表紙の給紙元を給紙カセットやインサータから選択する。ここで給紙元としてインサータが設定された場合については後述する。
【００６９】
Ｓ１００２で、インサータ以外の給紙段を選択し、「次へ」のソフトキーを押下すると、中紙給紙段設定へ進む（Ｓ１００４、図３４）。ここでは、くるみ表紙で包まれる用紙束を給紙する給紙段を選択する。選択後、「次へ」のソフトキーを押下する。
【００７０】
次に図３５、図３６に示す表示画面で仕上がりサイズの設定を行う（Ｓ１００５）。図３５の表示画面において、断裁後のサイズを規定のサイズから選択するか、もしくは「詳細設定」のソフトキーを押下して、図３６の表示画面に遷移し、任意のサイズを指定する。
【００７１】
（原稿読み込みモード設定）
続いて、原稿読み込みモードの設定を行う（Ｓ１００６）。図３７の表示画面において、くるみ表紙の原稿と中紙の原稿が分けられているなら「表紙モード」、表紙／裏表紙と中紙の原稿が１つの束になっているなら「標準モード」を選択する。
【００７２】
「標準モード」を選択して、次へ進んだ場合、表示部６２０に図３８に示すような表示を行い、ユーザに対して原稿を原稿給送装置１００へセットするよう促し（Ｓ１００８）、製本モードの設定を終了する（Ｓ１０１５）。以下、原稿読み取りモードに「標準モード」を選択して、製本を行うモードを「標準モード」と呼ぶ。
【００７３】
Ｓ１００６、Ｓ１００７で「表紙モード」を選択した場合、くるみ表紙となる原稿の読み取りを行う。表示部６２０に、図３９に示すような表示を行い、ユーザにくるみ表紙の原稿を原稿給送装置１００へセットし、スタートボタンを押下するよう促す（Ｓ１００９）。図２９における操作表示部６００のスタートボタン６０２を押下すると表紙原稿の読み込みを開始する（Ｓ１０１０）。
【００７４】
表紙原稿の読み込みが完了すると、表示部６２０に図４０に示すような表示を行い、ユーザに対して中紙の原稿を原稿給送装置１００へセットするように促し（Ｓ１０１１）、製本モードの設定を終了する（Ｓ１０１５）。以下、原稿読み取りモードに「表紙モード」を選択して、製本を行うモードを「表紙モード」と呼ぶ。
【００７５】
Ｓ１００３で給紙段としてインサータが設定された場合、次に、中紙の給紙段の選択へ進む（Ｓ１０１２）。図３４に示す表示画面において、くるみ表紙で包まれる用紙束を給紙する給紙段を選択する。選択後、「次へ」のソフトキーを押下する。
【００７６】
次に図３５、図３６に示す表示画面で仕上がりサイズの設定を行う（Ｓ１０１３）。図３５の表示画面において、断裁後のサイズを規定のサイズから選択するか、もしくは「詳細設定」のソフトキーを押下して、図３６の表示画面に遷移し、任意のサイズを指定する。
【００７７】
Ｓ１０１３で、仕上がりサイズ設定後、表示部６２０に図３８に示すような表示を行い、ユーザに対して原稿を原稿給送装置１００へセットするよう促し（Ｓ１０１４）、製本モードの設定を終了する（Ｓ１０１５）。以下、表紙をインサータから給紙して製本を行うモードを「インサートモード」と呼ぶ。
【００７８】
（束厚推測手段）
束厚推測手段について図３４を用いて説明する。前記製本モードの設定の流れにおいて、中紙給紙段設定を行う。給紙段には、図３４に示すように、給紙段１には普通紙、給紙段２には厚紙１、給紙段３には普通紙、給紙段４には厚紙２、といった各給紙段に対する用紙の紙種が予めユーザにより設定されている。また、各紙種に対する用紙１枚あたりの紙厚情報が後述する図４７のＲＯＭ１５１に格納されている。よって、図３４に示す中紙給紙段設定で選択を行うと、選択された給紙段の紙種から用紙１枚当たりの紙厚を認識することができる。そして、製本モードの一連の設定を終了すると、実際の製本動作を行うが、画像形成、及び製本動作の流れとしては、初めに中紙原稿を原稿を最後まで読み込んだ後に画像形成／製本動作を始める構成となっている。画像形成装置１０の原稿給送装置１００において１枚ずつ中紙原稿を読み込んで、読み込んだ中紙原稿の枚数を図４７のＲＡＭ１５２に記憶しておく。この時点で画像形成を行う用紙の紙厚と、中紙枚数が記憶されているので、この二つの情報から式（１）に示す。
【００７９】
束厚値＝用紙１枚あたりの紙厚×中紙枚数          （１）
の計算式で、製本される製本束の束厚値を推測できる。
【００８０】
尚、この束厚推測手段によって推測された束厚値は、後述する比較手段によって後の画像形成装置の制御に用いられる。
【００８１】
（白抜き幅算出手段）
図５１ないし図５２は白抜き幅算出手段を説明する図である。図５１は表紙の位置と濃度点の関係図、図５２は表紙における濃度制御信号の典型的な推移を示す図である。ここで、濃度点とは、表紙のある一部分の濃度を表す点のことを言う。濃度制御信号は、外部装置からの画像情報信号や、その画像情報信号に基づいて内部で形成されるレーザ点滅用の信号など、形成される画像の濃度に影響を与える信号を言う。
【００８２】
図５２は、画像が描写してある部分を印刷可能な最大濃度で出力し、糊付け部における白抜き部分などの未画像形成部は濃度制御信号をオフにした状態である。ここで、表紙の中心点、すなわち、全濃度点の中間濃度点は、表紙の中心の濃度を表す点である。図５２に示すように中間濃度点付近の濃度制御信号の値は０となっており、これは糊付け部の画像白抜き部があることを示している。この中間濃度点の前後に出力されている濃度制御信号が０である濃度点の個数をもとにして、式（２）によって糊付け部分の白抜き幅を算出する。
【００８３】
【数１】
2007118351.tif 000003
【００８４】
尚、この白抜き幅算出手段によって算出された白抜き幅は、後述する比較手段によって後の画像形成装置の制御に用いられる。
【００８５】
（比較値記憶手段）
比較値記憶手段について、前述した図４７を用いて説明する。前記束厚推測手段及び前記白抜き幅算出手段で決定された束厚情報と白抜き幅情報はＣＰＵ回路部１５０のＲＡＭ１５２に記憶され、画像形成装置の制御に伴う、後述する比較演算が行われる。
【００８６】
（原稿セット方法）
図４２〜図４４を用いて製本モードを行う際の原稿給送装置１００、またはインサータ３００に原稿をセットする際の原稿の向きと順番について示す。
【００８７】
標準モードでは、図４２に示すように、先頭ページＡが最上面になるように原稿給送装置１００にセットする。また、表紙モードでは、くるみ表紙となる原稿のセットを促されたときに、成果物の表表紙となるページＡが下向きになる図４３（ａ）の向きでセットし、中紙となる原稿のセットを促されたときに、中紙となる原稿の先頭ページＣが最上面となる図４３（ｂ）の向きでセットする。
【００８８】
インサータモードでは、インサータ３００のトレイ３１０に成果物の表表紙となるページＡが上向きになるようにセットする。また、成果物のとじ方向が「右開き」の場合は、図４４（ａ−１）のようにページＡが成果物の裏表紙となるページＨの右側になるように配置しておき、成果物のとじ方向が「左開き」の場合は、図４４（ａ−２）のようにページＡが成果物の裏表紙となるページＨの左側になるように配置しておく。さらに、中紙となる原稿のセットを促されたときに、中紙となる原稿の先頭ページＣが最上面となる図４４（ｂ）の向きでセットする。
【００８９】
（画像形成面付け）
ここでは、図４５、図４６を用いて、画像形成装置本体１０から糊付け製本機５００に排出される用紙の画像形成面の位置について示す。
【００９０】
図４１で示した標準モード、または図４３で示した表紙モードで原稿をセットし、成果物のとじ方向が「右開き」の場合は図４５（ａ）の（１）から（３）で示す順番で画像形成装置本体１０から糊付け製本機５００に用紙が排出され、図４６（ａ）で示す右開きの冊子が製本される。また、成果物のとじ方向が「左開き」の場合、図４５（ｂ）の（１）から（３）で示す順番で画像形成装置本体１０から糊付け製本機５００に用紙が排出され、図４６（ｂ）で示す右開きの冊子が製本される。
【００９１】
ここで、表紙モードでは、ページＦは図４３で示すように最後に読み込まれる原稿上に位置し、さらにページＦは図４５（ａ）で示すように最初に画像形成装置１０から排出される用紙上に位置する。そのため、表紙モードにおいて成果物のとじ方向が「右開き」の場合は、セットされる原稿を最後まで読み込んだ後に画像形成を始める必要がある。
【００９２】
図４４で示したインサータモードでは、成果物のとじ方向が「右開き」の場合は図４５（ｃ）の（１）から（２）で示す順番で画像形成装置本体１０から用紙が排出され、「左開き」の場合は、図４５（ｄ）の（１）から（２）で示す順番で画像形成装置本体１０から用紙が排出される。
【００９３】
（判断手段、警告手段、製本動作選択手段）
束厚値と白抜き幅の情報を元にした判断手段について図４８のフローチャートを用いて説明する。
【００９４】
前述の説明のように、まず初めに製本モードの設定を行い、この設定の中で束厚推測手段、白抜き幅算出手段による束厚値、白抜き幅の情報を取得する（Ｓ２００１）。この時、これら二つの情報は前述の比較値記録手段によりＣＰＵ回路１５０のＲＡＭ１５２に格納される。製本モードの設定が終了したら、ＲＡＭ１５２での比較演算により、束厚値と白抜き幅との値を比較し（Ｓ２００２）、束厚値が白抜き幅よりも小さいと判断された場合（図４９ａ）には、画像形成（Ｓ２００３）と、前述の製本動作を行い冊子を排出する（Ｓ２００４）。もし、束厚値が白抜き幅よりも大きいと判断された場合（図４９ｂ）には、図１の画像形成装置における操作表示部６００に図５０に示す警告を表示してユーザにその旨を通知する（Ｓ２００５）。
【００９５】
しかし、もし、ユーザが品質の低下が予想できる状態を踏まえて、それでも製本動作を行っても良いと判断する場合も考えられる。このような場合のために、製本動作を完全に禁止せず、糊付け面に画像が存在する状態で製本を行えるようにする製本動作選択手段を持ち合わせている（Ｓ２００６）。図５０の警告表示画面において、製本動作を行うか否かをユーザが選択することができる。ここで、「中止」を選択した場合には、製本動作を開始せず、「実行」を選択した場合には製本動作を開始する。
【００９６】
これらの制御フローのように、糊付けの品質を保障できない場合にはユーザに警告を表示することによって、糊付け品質を十分保障した上での製本動作を行うことができる。そして、糊付け品質が十分保障できない状態でも製本動作を行っても良いとユーザが判断した場合には製本動作を継続することができ、ユーザにとって使い勝手のよい制御を行うことができる。
【図面の簡単な説明】
【００９７】
【図１】本発明の実施形態に係る画像形成装置の主要部の縦断面構造を示す構成図
【図２】糊付け製本機全体断面図
【図３】糊付け部概要の説明図
【図４】糊付け部概要の説明図
【図５】接着部概要の説明図
【図６】接着部概要の説明図
【図７】接着部概要の説明図
【図８】接着部概要の説明図
【図９】接着部概要の説明図
【図１０】接着部概要の説明図
【図１１】接着部概要の説明図
【図１２】接着部概要の説明図
【図１３】断裁部概要の説明図
【図１４】断裁部概要の説明図
【図１５】断裁部概要の説明図
【図１６】断裁部概要の説明図
【図１７】断裁部概要の説明図
【図１８】断裁部概要の説明図
【図１９】製本排出部概要の説明図
【図２０】製本排出部概要の説明図
【図２１】製本排出部概要の説明図
【図２２】製本排出部概要の説明図
【図２３】中紙積載時の紙の流れ説明図
【図２４】中紙積載時の紙の流れ説明図
【図２５】中紙と表紙の流れ説明図
【図２６】中紙と表紙の流れ説明図
【図２７】インサータ３００から表紙を挿入して製本を行う場合の紙の流れ説明図
【図２８】インサータ３００から表紙を挿入して製本を行う場合の紙の流れ説明図
【図２９】操作表示部における製本モード設定の説明図
【図３０】操作表示部における製本モード設定の説明図
【図３１】操作表示部における製本モード設定の説明図
【図３２】操作表示部における製本モード設定の説明図
【図３３】操作表示部における製本モード設定の説明図
【図３４】操作表示部における製本モード設定の説明図
【図３５】操作表示部における製本モード設定の説明図
【図３６】操作表示部における製本モード設定の説明図
【図３７】操作表示部における製本モード設定の説明図
【図３８】操作表示部における製本モード設定の説明図
【図３９】操作表示部における製本モード設定の説明図
【図４０】操作表示部における製本モード設定の説明図
【図４１】製本モード設定のフローチャート
【図４２】製本動作における原稿セット方法の説明図
【図４３】製本動作における原稿セット方法の説明図
【図４４】製本動作における原稿セット方法の説明図
【図４５】画像形成時の面付けに関する説明図
【図４６】画像形成時の面付けに関する説明図
【図４７】本発明の画像形成システム全体の制御を司るコントローラの構成及び全体システムブロック図
【図４８】警告を表示するまでのフローチャート
【図４９】束厚値と白抜き幅の比較説明図
【図５０】警告表示画面を示す図
【図５１】白抜き幅算出手段の説明図
【図５２】白抜き幅算出手段の説明図
【符号の説明】
【００９８】
Ａ      用紙積載部
Ｂ      糊付け部
Ｃ      接着部
Ｄ      断裁部
Ｅ      製本排出部
１０    画像形成装置
１００  原稿給送装置
１０１  原稿給送装置制御部
１０２  プラテンガラス
１０３  ランプ
１０４  スキャナユニット
１０５，１０６，１０７  ミラー
１０８  レンズ
１０９  イメージセンサ
１１０  露光制御部
１１２  排紙トレイ
１２０  束厚推測手段
１２１  フラッパ
１２２  反転パス
１２４  両面搬送パス
２００  イメージリーダ
２０４  白抜き幅算出手段
３００  インサータ
３０１  給紙ローラ
３０３  搬送ローラ対
３１０  給紙トレイ
３５０  プリンタ
４００  フィニッシャ、後処理装置
５００  糊付け製本装置
５０１  製本装置制御部
６００  操作表示装置
５１２  トリムグリッパ
５２０  用紙積載トレイ
５２１  切換フラッパ
５２２  糊塗布ローラ制御モータ
５２３  糊付けグリッパ
５２４  糊塗布ローラ
５２５  糊容器
５２７  カッター制御モータ
５２８  カッター
５２９  積載板
５３０  製本支持板
５３２  断裁屑箱
５３３  断裁屑受け箱
５３４  製本排出安定板
５４０  用紙束
５５０  表紙
５７０、５７１  冊子
【図１】
2007118351.tif 000004
【図２】
2007118351.tif 000005
【図３】
2007118351.tif 000006
【図４】
2007118351.tif 000007
【図５】
2007118351.tif 000008
【図６】
2007118351.tif 000009
【図７】
2007118351.tif 000010
【図８】
2007118351.tif 000011
【図９】
2007118351.tif 000012
【図１０】
2007118351.tif 000013
【図１１】
2007118351.tif 000014
【図１２】
2007118351.tif 000015
【図１３】
2007118351.tif 000016
【図１４】
2007118351.tif 000017
【図１５】
2007118351.tif 000018
【図１６】
2007118351.tif 000019
【図１７】
2007118351.tif 000020
【図１８】
2007118351.tif 000021
【図１９】
2007118351.tif 000022
【図２０】
2007118351.tif 000023
【図２１】
2007118351.tif 000024
【図２２】
2007118351.tif 000025
【図２３】
2007118351.tif 000026
【図２４】
2007118351.tif 000027
【図２５】
2007118351.tif 000028
【図２６】
2007118351.tif 000029
【図２７】
2007118351.tif 000030
【図２８】
2007118351.tif 000031
【図３０】
2007118351.tif 000032
【図３１】
2007118351.tif 000033
【図３２】
2007118351.tif 000034
【図３３】
2007118351.tif 000035
【図３４】
2007118351.tif 000036
【図３５】
2007118351.tif 000037
【図３６】
2007118351.tif 000038
【図３７】
2007118351.tif 000039
【図３８】
2007118351.tif 000040
【図３９】
2007118351.tif 000041
【図４０】
2007118351.tif 000042
【図４１】
2007118351.tif 000043
【図４２】
2007118351.tif 000044
【図４３】
2007118351.tif 000045
【図４４】
2007118351.tif 000046
【図４５】
2007118351.tif 000047
【図４６】
2007118351.tif 000048
【図４７】
2007118351.tif 000049
【図４８】
2007118351.tif 000050
【図４９】
2007118351.tif 000051
【図５０】
2007118351.tif 000052
【図５１】
2007118351.tif 000053
【図５２】
2007118351.tif 000054
【図２９】
2007118351.tif 000055